(57)【要約】【課題】装置の大型化や電力消費量の増大等を招くことなく、搭載した太陽電池を効率良く発電することができる携帯端末装置を提供する。【解決手段】筐体に、バッテリ、太陽電池、撮像装置、及び表示装置を備えた携帯端末装置において、太陽電池１６の受光方向がカメラ１７の撮像方向と同一方向になるように、太陽電池１６の受光面を筐体に配置し、太陽電池１６によりバッテリを充電状態に設定する際、カメラ１７が撮像した被写体を表示部１４に表示させる制御部２１を有する。制御部２１は、バッテリ充電状態設定時、減光フィルタを介してカメラ１７が撮像した被写体を表示部１４に表示させ、また、カメラ１７が撮像した被写体を二値化処理して表示部１４に表示させる。【選択図】図１
2008085777.tif 000002
【特許請求の範囲】
【請求項１】
筐体に、バッテリ、太陽電池、撮像装置、及び表示装置を備えた携帯端末装置において、
前記太陽電池の受光方向が前記撮像装置の撮像方向と同一方向になるように、前記太陽電池の受光面を前記筐体に配置し、
前記太陽電池により、バッテリを充電状態に設定する際、前記撮像装置が撮像した被写体を前記表示装置に表示させる制御手段を有することを特徴とする携帯端末装置。
【請求項２】
前記制御手段は、バッテリ充電状態設定時、減光フィルタを介して前記撮像装置が撮像した被写体を前記表示装置に表示させることを特徴とする請求項１に記載の携帯端末装置。
【請求項３】
前記制御手段は、バッテリを充電状態に設定する際、前記撮像装置が撮像した被写体を二値化処理して前記表示装置に表示させることを特徴とする請求項１または２に記載の携帯端末装置。
【請求項４】
前記筐体は、折畳型構造を有し、
前記太陽電池の受光面と前記撮像装置の撮像面を、前記筐体の閉状態にあって外部に露出するように配置し、
前記制御手段は、前記筐体が閉状態から９０度未満の所定の角度で開状態に保持された場合、バッテリの充電状態と判断して、前記撮像装置が撮像した被写体を前記表示装置に表示することを特徴とする請求項１から３のいずれか一項に記載の携帯端末装置。
【請求項５】
前記筐体は、第１表示手段を有する第１筐体と第２表示手段を有する第２筐体からなる折畳型構造を有し、
前記太陽電池の受光面と前記撮像装置の撮像面を、前記筐体の閉状態にあって前記第１筐体外部に露出するように配置し、
前記制御手段は、前記筐体が閉状態から９０度未満の所定の角度で開状態に保持された場合、バッテリの充電状態と判断して、前記撮像装置が撮像した被写体を前記第２表示手段に表示することを特徴とする請求項１から３のいずれか一項に記載の携帯端末装置。
【請求項６】
携帯端末装置の筐体に、バッテリ、太陽電池、及び撮像方向を前記太陽電池の受光方向と同一方向に向けた撮像装置を配置し、
前記太陽電池によりバッテリを充電状態に設定する際、前記撮像装置が撮像した被写体を前記表示装置に表示させることを特徴とする携帯端末装置に搭載した太陽電池の充電方法。
【発明の詳細な説明】
【技術分野】
【０００１】
本発明は、携帯端末装置及び携帯端末装置に搭載した太陽電池の充電方法に関し、特に、太陽電池と共に撮像装置を備えた携帯端末装置及び携帯端末装置に搭載した太陽電池の充電方法に関する。
【背景技術】
【０００２】
従来、ＧＰＳ機能で計測した位置、進行方向、時刻から、端末と太陽の位置を割り出し、最も発電効率の高くなるように太陽電池の向きを制御する「太陽光発電装置」（特許文献１参照）が知られている。
この「太陽光発電装置」は、太陽からの光を電気エネルギーに変換する太陽電池と、太陽電池の向きを制御する制御装置と、衛星からの信号を受信して位置、時刻等を測定するＧＰＳ受信機と、ＧＰＳ受信機が測定した位置、時刻等から太陽の位置を算出し、最も発電効率が高くなるように太陽電池の向きを制御するＣＰＵとを備えている。
【特許文献１】特開平０９−１４００５２号公報
【発明の開示】
【発明が解決しようとする課題】
【０００３】
しかしながら、従来の「太陽光発電装置」においては、ＧＰＳ機能で位置測定する場合、端末のみでリアルタイム処理ができずにホスト側に送信して処理を実施する。従って、この「太陽光発電装置」を移動機に備えた場合、移動等で受信状況が刻々と変化するため、受信状態が悪い状況下ではＧＰＳを起動できずに位置計測が不可能な場合がある。
【０００４】
なお、携帯電話装置において搭載した太陽電池の向きを自動制御することは、装置内に駆動部や制御回路を備える必要があり、携帯電話装置の大型化や電力消費量の増大等を招くので実現が困難である。また、災害時に輻輳等で通信回線に接続できない場合や、地方や山岳部で通信圏外の場合でも、携帯端末装置の高機能化により携帯端末装置を利用して得られる情報は非常に多く、効率良く太陽電池で充電することは非常に有効である。
本発明の目的は、装置の大型化や電力消費量の増大等を招くことなく、搭載した太陽電池を効率良く発電することができる携帯端末装置を提供することである。
【課題を解決するための手段】
【０００５】
上記目的を達成するため、本発明に係る携帯端末装置は、筐体に、バッテリ、太陽電池、撮像装置、及び表示装置を備えた携帯端末装置において、前記太陽電池の受光方向が前記撮像装置の撮像方向と同一方向になるように、前記太陽電池の受光面を前記筐体に配置し、前記太陽電池によりバッテリを充電状態に設定する際、前記撮像装置が撮像した被写体を前記表示装置に表示させる制御手段を有することを特徴している。
また、本発明は、前記制御手段が、バッテリ充電状態設定時、減光フィルタを介して前記撮像装置が撮像した被写体を前記表示装置に表示させることが好ましい。
【０００６】
また、本発明は、前記制御手段が、バッテリを充電状態に設定する際、前記撮像装置が撮像した被写体を二値化処理して前記表示装置に表示させることが好ましい。
また、本発明は、前記筐体が、折畳型構造を有し、前記太陽電池の受光面と前記撮像装置の撮像面を、前記筐体の閉状態にあって外部に露出するように配置し、前記制御手段は、前記筐体が閉状態から９０度未満の所定の角度で開状態に保持された場合、バッテリの充電状態と判断して、前記撮像装置が撮像した被写体を前記表示装置に表示することが好ましい。
【０００７】
また、本発明は、前記筐体が、第１表示手段を有する第１筐体と第２表示手段を有する第２筐体からなる折畳型構造を有し、前記太陽電池の受光面と前記撮像装置の撮像面を、前記筐体の閉状態にあって前記第１筐体外部に露出するように配置し、前記制御手段は、前記筐体が閉状態から９０度未満の所定の角度で開状態に保持された場合、バッテリの充電状態と判断して、前記撮像装置が撮像した被写体を前記第２表示手段に表示することが好ましい。
また、本発明に係る携帯端末装置に搭載した太陽電池の充電方法は、携帯端末装置の筐体に、バッテリ、太陽電池、及び撮像方向を前記太陽電池の受光方向と同一方向に向けた撮像装置を配置し、前記太陽電池によりバッテリを充電状態に設定する際、前記撮像装置が撮像した被写体を前記表示装置に表示させることを特徴としている。
【発明の効果】
【０００８】
本発明によれば、装置の大型化や電力消費量の増大等を招くことなく、搭載した太陽電池を効率良く発電することができる。
【発明を実施するための最良の形態】
【０００９】
以下、本発明を実施するための最良の形態について図面を参照して説明する。
（第１実施の形態）
図１は、本発明の第１実施の形態に係る端末装置の充電状態を示し、（ａ）は表示画面側から見た斜視図、（ｂ）は太陽電池側から見た斜視図である。図１に示すように、例えば、携帯電話機である携帯端末装置１０は、表示部側筐体（第１筐体）１１と、キー側筐体（第２筐体）１２を備えており、表示部側筐体１１とキー側筐体１２は、それぞれの一端部がヒンジ部１３を介して連結されることにより、自在に相互開閉することができる、折り畳み式構造を有している。ヒンジ部１３は、表示部側筐体１１とキー側筐体１２の成す開放角度αが０度（収納状態）〜１６０度（開放状態）の範囲であれば、任意の角度で両筐体１１，１２を保持することができる。
【００１０】
表示部側筐体１１には、筐体開時に露出する筐体表面（内面側）に、液晶表示装置（Ｌｉｑｕｉｄ  Ｃｒｙｓｔａｌ  Ｄｉｓｐｌａｙ：ＬＣＤ）等の表示部（表示装置）１４が、キー側筐体１２には、筐体開時に露出する筐体表面に、複数の操作キーからなるキー操作部１５が、それぞれ配置されている（（ａ）参照）。
また、表示部側筐体１１には、筐体背面（背面側）に、背面の略全域を覆う太陽電池１６とカメラ（撮像装置）１７が、それぞれ配置されている（（ｂ）参照）。太陽電池１６は、その受光方向が、カメラ１７の撮像方向と同一方向になるように、筐体に配置されている。ここで、同一方向については、尚、完全に同一の方向、若しくは、筐体の組み立てにおける、多少の方向のずれは含むものとする。組み立て時や部材等に起因する精度に係る誤差は、当然の如く容認されるべきものである。また、太陽電池１６の受光面とカメラ１７の撮像面は、筐体の閉状態にあって外部に露出するように配置している。尚、太陽電池の受光面（方向）は、以下、太陽電池１６と同じものとして説明する。
【００１１】
カメラ１７の前段には、カメラレンズの表面を覆うことができる可動式のＮＤ（Ｎｅｕｔｒａｌ  Ｄｅｎｓｉｔｙ）フィルタ（図示しない）が取り付けられている。開放角度αが０〜９０の範囲（０＜α＜９０）で両筐体１１，１２が一定時間保持されると、カメラレンズの表面がＮＤフィルタにより覆われたフィルタ挿入状態となり、カメラ１７が起動する。
【００１２】
図２は、図１の携帯端末装置の構成を示すブロック図である。図２に示すように、携帯端末装置１０は、通信回線用のアンテナ部１８、無線部１９、ユーザデータ等を保存するメモリ部２０、各部の制御を行う制御部（制御手段）２１、両筐体１１，１２の開放角度を検知する開放角度検知部２２、情報やデータを表示する表示部１４、キー操作部１５からの各種の入力に対応する入力操作部２３、電源回路に接続された太陽電池１６、画像を取り込むためのカメラ１７、及びＮＤフィルタを操作するフィルタ部２４を備えている。
また、制御部２１は、開放角度αに応じてフィルタ部２４を制御し、ＮＤフィルタを挿入状態或いは未挿入状態にするフィルタ挿入制御部２５を有している。この制御部２１は、太陽電池１６によるバッテリの充電状態設定の際、カメラ１７が撮像した太陽像を表示部１４に表示させる。
【００１３】
カメラ１７は、通常のカメラ撮影に使用するのに加え、太陽電池１６の太陽に対する向きを調整する際に、太陽を含む被写体（画像）を取り込んで表示部１４に表示させる目的で使用する。太陽の画像を取り込む際に、太陽画像を直接取り込むと光量が強すぎて真っ白な画面（オーバフロー状態）になるため、太陽画像を取り込む状況、つまり、ユーザが太陽電池１６で充電する状況を、開放角度αに応じて予め割り当てておき、開放角度検知部２２が特定の開放角度を検知した場合に限り、ＮＤフィルタを自動挿入してカメラ１７を起動させる。
開放角度αを、０〜９０度の範囲（０＜α＜９０）にある状態から、それ以外に変更した場合は、カメラ機能が停止して通常の待ち受け状態に戻る。また、着呼があって、開放角度αを０〜９０度の範囲以外に変更した場合は、着呼応答するようにしても良い。
【００１４】
図３は、太陽電池の向きを調整する際の筐体における回転角度と開放角度の説明図である。図３に示すように、先ず、携帯端末装置１０のユーザは、太陽光の元で携帯端末装置１０を開いて表示部側筐体１１を開放した状態にする。この開放角度αは、太陽電池１６が太陽の方向を向く角度が望ましく、例えば、東京（北緯３５度）であれば、最も太陽が高く上がる夏至の南中高度が約７８．４度であるから、０〜９０度の範囲を想定すれば十分である。
【００１５】
次に、ユーザは、携帯端末装置１０のキー側筐体１２を、例えば、机上に置き、太陽電池１６が太陽の方向を向くように、携帯端末装置１０の回転角度θと開放角度αの大まかな調整を行う。調整と同時、若しくは数秒後に、ＮＤフィルタを挿入した状態でカメラ１７が自動的に起動し、太陽が撮影されていれば、取り込んだ太陽像が画像として表示部１４に表示される。太陽像が表示されると、ユーザは、表示部１４を見ながら、太陽像が表示部１４の中央部に位置するように、回転角度θと開放角度αの微調整を行う。
調整完了後、ユーザは、表示ＯＦＦを割り当てた操作キーを押下し表示を消す。表示を消すことで、無駄な電力を消費することなく効率良く、電源回路を介してバッテリへ充電することができる。なお、表示ＯＦＦ機能については、手動によるキー押下ではなく、カメラ１７の起動後に、例えば、タイマを起動させ、所定時間で自動的に表示ＯＦＦさせてもよい。
【００１６】
図４は、図１の携帯端末装置において太陽電池の向きを調整する処理の手順を示すフローチャートである。図４に示すように、先ず、ユーザが、携帯端末装置１０を開いて表示部側筐体１１を開放した状態にする（ステップＳ１０１）。筐体の開放により、両筐体１１，１２が一定の開放角度αで保持されると、開放角度検知部２２により、現在の開放角度αが０〜９０度の範囲（０＜α＜９０）にあるか否かを判断する（ステップＳ１０２）。
【００１７】
ステップＳ１０２の判断の結果、開放角度αが０〜９０度の範囲にない（ｎｏ）場合、通常の一般的な携帯電話機の操作と判断して処理を終了し、その後のユーザ操作に従う。一方、開放角度αが０〜９０度の範囲にある（ｙｅｓ）場合、即ち、その開放角度αで保持された場合、開放角度監視タイマが起動し（ステップＳ１０３）、開放角度αに変化がないか否かを判断する（ステップＳ１０４）。即ち、開放角度監視タイマの起動中は、開放角度検知部２２により開放角度αに変化がないかの確認を継続的に行う。
次に、ステップＳ１０４の判断の結果、開放角度αに変化がある（ｎｏ）場合、ステップＳ１０２へ戻る。つまり、タイマ起動中に開放角度αが変化した場合、変化後に保持された開放角度αが０〜９０度の範囲にあるか否かの判断を再度行い、判断結果に基づき以後の処理に従う。一方、開放角度αに変化がない（ｙｅｓ）場合、タイムアウトしたか否かを判断する（ステップＳ１０５）。
【００１８】
ステップＳ１０６の判断の結果、タイムアウトしない（ｎｏ）場合、ステップＳ１０４へ戻り、タイムアウトした（ｙｅｓ）場合、ＮＤフィルタが挿入され（ステップＳ１０６）、その後、カメラ１７が起動する（ステップＳ１０７）。つまり、開放角度αが変化せずに、タイマがタイムアウトした場合は、ユーザが太陽電池１６を太陽の方向に向けて充電すると判断し、太陽を含む画像を取り込んで表示部１４に表示できるように、ＮＤフィルタを挿入しカメラ１７を起動する。
【００１９】
次に、ユーザは、表示部１４を見ながら、取り込んだ太陽像が表示部１４の中央部に位置するように、回転角度θと開放角度αを調整する（ステップＳ１０８）。位置を調整した後、表示ＯＦＦ機能を割り当てた調整完了キーを押下して、表示部１４を消灯する（ステップＳ１０９）。その後、処理を終了する。
ここで、ＮＤフィルタ挿入状態でのカメラ起動をタイマ式にしたのは、表示部側筐体１１の開放動作の途中でカメラ１７が起動することを防ぐためである。具体的なタイマ設定時間としては、従来の開放角度αが０から９０度の範囲で使用する状況は考え難く、開放角度αが０〜９０度の範囲では太陽電池１６の充電を目的としていることが明らかであるため、数秒〜５秒程度で十分と考えられる。
【００２０】
図５は、図１の携帯端末装置により撮影した太陽の画像を画面表示したイメージを示し、（ａ）はＮＤフィルタを挿入した場合の説明図、（ｂ）は低輝度で表示した場合の説明図、（ｃ）は二値化処理して表示した場合の説明図である。図５に示すように、カメラ起動時（微調整前）、表示部１４の端部に位置する太陽を、回転角度θと開放角度αを調整することにより、表示部１４の中央部の最適位置（調整完了）に位置させる（（ａ），（ｂ）参照）。
【００２１】
基本的に、太陽を写した画像は、背景が黒で太陽が白丸という形で表示されるため、低輝度でも十分に認識可能であり、特に、自発光型の表示部を搭載している場合は、ニ値化処理によりＬＥＤ（Ｌｉｇｈｔ  Ｅｍｉｔｔｉｎｇ  Ｄｉｏｄｅ）の点灯領域を最小限に抑えることも省電力化に有効である。なお、表示部１４の全面に表示させるのではなく、表示部１４の一部分に縮小表示させてもよい。
また、表示部１４の中央部を分かり易くするために、画面に十字線を表示する（（ｃ）参照）ことも有効である。
【００２２】
図６は、太陽電池の太陽に対する角度ずれと発電量の関係をグラフで示す説明図である。ここでは、縦軸を発電量、横軸を角度ずれとして、最大発電量を１とした場合の太陽電池の太陽に対する角度ずれの影響を示している。
一般的な携帯電話機用の単焦点カメラで水平画角５６度を想定すると、表示部１４の中央部に太陽像が写る場合と表示部１４の端部に太陽像が写る場合で、約２８度の角度ずれが生じている。図６から、２８度の角度ずれで発電量が約１５％低下することが分かる。即ち、太陽電池１６の充電に際し、携帯端末装置１０を最適な開放角度αで使用することが非常に有効である。
（第２実施の形態）
【００２３】
図７は、本発明の第２実施の形態に係る携帯端末装置の充電状態を示し、（ａ）は表示画面側から見た斜視図、（ｂ）は太陽電池側から見た斜視図である。図７に示すように、携帯端末装置３０は、キー側筐体１２に代えて、第２筐体３１を有しており、第２筐体３１には、複数の操作キーからなるキー操作部１５に代えて、第２表示部３２が配置されている（（ａ）参照）。そして、この第２表示部３２に対応して、制御部３３に表示位置切替制御部３４（図８参照）を有している。その他の構成及び作用は、携帯端末装置１０と同様である。
つまり、携帯端末装置３０は、表示部側筐体（第１筐体）１１に、少なくとも表示部（第１表示部）１４と太陽電池１６とカメラ１７を備え、第２筐体３１に、少なくとも、表示部１４に対向して配置された第２表示部３２を備えている。
【００２４】
ヒンジ部１３は、表示部側筐体１１と第２筐体３１の成す開放角度αが０度（収納状態）〜１６０度（開放状態）の範囲であれば、任意の角度で両筐体１１，３１を保持することができる。なお、第２筐体３１の第２表示部３２は、第２筐体３１の全面若しくは一部分にタッチパネルを配置すれば、キー操作と画像表示の両方を実現することができる。
携帯端末装置３０においては、開放角度αが０〜９０度の範囲（０＜α＜９０）で、ＮＤフィルタが挿入されカメラ１７が起動した場合は、カメラ１７で取り込んだ太陽の画像を第２表示部３２に表示する。その際、表示部１４は表示ＯＦＦ状態とする。開放角度αが０〜９０度の範囲で太陽電池１６による充電中に着呼があった場合、発呼側の情報（名前、電話或いはメール等の情報等）は、第２表示部３２に表示される。
【００２５】
図８は、図７の携帯端末装置の構成を示すブロック図である。図８に示すように、携帯端末装置３０は、入力操作部２３に代えて第２表示部３２、制御部２１に代えて制御部３３を有しており、制御部３３は、フィルタ挿入制御部２５に加えて表示位置切替制御部３４を有している。その他の構成及び作用は、携帯端末装置１０と同様である。
図９は、図７の携帯端末装置において太陽電池の向きを調整する処理の手順を示すフローチャートである。図９に示すように、先ず、ユーザが、携帯端末装置３０を開いて表示部側筐体（第１筐体）１１を開放した状態にする（ステップＳ２０１）。筐体の開放により、第１筐体１１と第２筐体３１が一定の開放角度αで保持されると、開放角度検知部２２により、現在の開放角度αが０〜９０度の範囲（０＜α＜９０）にあるか否かを判断する（ステップＳ２０２）。
【００２６】
ステップＳ２０２の判断の結果、開放角度αが０〜９０度の範囲にない（ｎｏ）場合、通常の一般的な携帯端末装置の操作と判断して、第１表示部１４と第２表示部３２を共に点灯する（ステップＳ２０３）。点灯後、処理を終了し、その後のユーザ操作に従う。一方、開放角度αが０〜９０度の範囲にある（ｙｅｓ）場合、即ち、その開放角度αで保持された場合、第２表示部３２のみが点灯する（ステップＳ２０４）。このとき、第１表示部１４は消灯している。
第２表示部３２が点灯した後、開放角度監視タイマが起動し（ステップＳ２０５）、開放角度αに変化がないか否かを判断する（ステップＳ２０６）。即ち、開放角度監視タイマの起動中は、開放角度検知部２２により開放角度αに変化がないかの確認を継続的に行う。
【００２７】
次に、ステップＳ２０６の判断の結果、開放角度αに変化がある（ｎｏ）場合、ステップＳ２０２へ戻る。つまり、タイマ起動中に開放角度αが変化した場合、変化後に保持された開放角度αが０〜９０度の範囲にあるか否かの判断を再度行い、判断結果に基づき以後の処理に従う。一方、開放角度αに変化がない（ｙｅｓ）場合、タイムアウトしたか否かを判断する（ステップＳ２０７）。
ステップＳ２０７の判断の結果、タイムアウトしない（ｎｏ）場合、ステップＳ２０６へ戻り、タイムアウトした（ｙｅｓ）場合、ＮＤフィルタが挿入され（ステップＳ２０８）、その後、カメラ１７が起動する（ステップＳ２０９）。つまり、開放角度αが変化せずに、タイマがタイムアウトした場合は、ユーザが太陽電池１６を太陽の方向に向けて充電すると判断し、太陽を含む画像を取り込んで第２表示部３２に表示できるように、ＮＤフィルタを挿入しカメラ１７を起動する。
【００２８】
次に、ユーザは、点灯している第２表示部３２を見ながら、取り込んだ太陽像が第２表示部３２の中央部に位置するように、回転角度θと開放角度αを調整する（ステップＳ２１０）。位置を調整した後、表示ＯＦＦ機能を割り当てた調整完了キーを押下して、第２表示部３２を消灯する（ステップＳ２１１）。その後、処理を終了する。
（第３実施の形態）
【００２９】
図１０は、本発明の第３実施の形態に係る携帯端末装置の充電状態を示し、（ａ）は表示画面側から見た斜視図、（ｂ）は太陽電池側から見た斜視図である。図１０に示すように、携帯端末装置３５は、太陽電池１６とカメラ１７を、表示部側筐体（第１筐体）１１の背面ではなく、キー側筐体１２の背面、即ち、キー操作部１５の背面側に配置している。カメラ１７は、キー側筐体１２の先端部ではなくヒンジ部１３側に配置されている。その他の構成及び作用は、携帯端末装置１０と同様である。
つまり、携帯端末装置３５においては、表示部側筐体１１を下にして、即ち、表示部側筐体１１を、例えば、机上に置いて、太陽電池１６を充電する。
【００３０】
この携帯端末装置３５の場合、第１実施の形態の携帯端末装置１０（図１参照）と同様に、開放角度αが０〜９０度の範囲（０＜α＜９０）にあって筐体が開放され、ＮＤフィルタが挿入されてカメラ１７が起動すると、表示部１４の上下が反転し、画像（太陽像）はヒンジ１３側を上にして表示される。当然、この充電状態において、着呼の際の発呼側情報等の画像も上下が反転して表示される。
なお、携帯端末装置３５の構成は、携帯端末装置１０（図２参照）と同様である。
【００３１】
図１１は、図１０の携帯端末装置において太陽電池の向きを調整する処理の手順を示すフローチャートである。図１１に示すように、先ず、ユーザが、携帯端末装置３５を開いて表示部側筐体（第１筐体）１１を開放した状態にする（ステップＳ３０１）。筐体の開放により、表示部側筐体１１とキー側筐体１２が一定の開放角度αで保持されると、開放角度検知部２２により、現在の開放角度αが０〜９０度の範囲（０＜α＜９０）にあるか否かを判断する（ステップＳ３０２）。
【００３２】
ステップＳ３０２の判断の結果、開放角度αが０〜９０度の範囲にない（ｎｏ）場合、通常の一般的な携帯端末装置の操作と判断して、表示部１４の画像はヒンジ１３側を下にした通常表示により表示される（ステップＳ３０３）。表示後、処理を終了し、その後のユーザ操作に従う。一方、開放角度αが０〜９０度の範囲にある（ｙｅｓ）場合、即ち、その開放角度αで保持された場合、表示部側筐体１１を、例えば、机上において自立させる充電スタイルと判断し、表示部１４の画像はヒンジ１３側を上にした、通常表示とは上下を反転した画像により表示される（ステップＳ３０４）。
表示部１４に上下反転画像が表示されると同時に、開放角度監視タイマが起動し（ステップＳ３０５）、開放角度αに変化がないか否かを判断する（ステップＳ３０６）。即ち、開放角度監視タイマの起動中は、開放角度検知部２２により開放角度αに変化がないかの確認を継続的に行う。
【００３３】
次に、ステップＳ３０６の判断の結果、開放角度αに変化がある（ｎｏ）場合、ステップＳ３０２へ戻る。つまり、タイマ起動中に開放角度αが変化した場合、変化後に保持された開放角度αが０〜９０度の範囲にあるか否かの判断を再度行い、判断結果に基づき以後の処理に従う。一方、開放角度αに変化がない（ｙｅｓ）場合、タイムアウトしたか否かを判断する（ステップＳ３０７）。
【００３４】
ステップＳ３０７の判断の結果、タイムアウトしない（ｎｏ）場合、ステップＳ３０６へ戻り、タイムアウトした（ｙｅｓ）場合、ＮＤフィルタが挿入され（ステップＳ３０８）、その後、カメラ１７が起動する（ステップＳ３０９）。つまり、開放角度αが変化せずに、タイマがタイムアウトした場合は、ユーザが太陽電池１６を太陽の方向に向けて充電すると判断し、太陽を含む画像を取り込んで表示部１４に表示できるように、ＮＤフィルタを挿入しカメラ１７を起動する。
次に、ユーザは、表示部１４を見ながら、取り込んだ太陽像が表示部１４の中央部に位置するように、回転角度θと開放角度αを調整する（ステップＳ３１０）。位置を調整した後、表示ＯＦＦ機能を割り当てた調整完了キーを押下して、表示部１４を消灯する（ステップＳ３１１）。その後、処理を終了する。
（第４実施の形態）
【００３５】
図１２は、本発明の第４実施の形態に係る携帯端末装置の充電状態を示し、（ａ）は表示画面の背面側から見た斜視図、（ｂ）は太陽電池側から見た斜視図である。図１２に示すように、携帯端末装置４０は、表示部側筐体１１の背面、即ち、表示部（第１表示部）１４の背面側に、第２表示部４１を有すると共に、筐体の姿勢を検知する姿勢検知部（図１３参照）を有している。その他の構成及び作用は、携帯端末装置３５と同様である。
この携帯端末装置４０にあっては、表示部側筐体１１とキー側筐体１２を開状態にし、筐体開放側端部を下にして、即ち、筐体開放側端部を、例えば、机上に載せて自立させた状態で、太陽電池１６を充電する。
【００３６】
携帯端末装置４０が、内蔵された姿勢検知部により、筐体開放状態（開放角度α≠０度）で筐体開放側端部を下（ヒンジ１３を上）にした、自立状態と判断された場合、ＮＤフィルタが挿入されカメラ１７が自動的に起動する。その際、第１表示部１４は表示ＯＦＦの状態であり、カメラ１７で取り込んだ太陽の画像は、第２表示部４１に表示される。
なお、姿勢検知部としては、加速度センサ、重力センサ或いはジャイロセンサ等が用いられ、例えば、３軸の加速度センサを両筐体１１，１２のそれぞれに配置することで、筐体載置面（若しくは重力方向）に対する各筐体の傾斜角度や向き、また、上下左右前後の加速度から移動の状態や振動を検知することができ、自立状態の有無も容易に判断することができる。
【００３７】
本実施の形態に示す自立状態で太陽電池１６を太陽に向けるためには、太陽の南中高度が４５度以上となる場合、開放角度αが９０度以上必要となる。そのため、本実施の形態では、ＮＤフィルタを挿入する開放角度αをα≠０としている。
図１３は、図１２の携帯端末装置の構成を示すブロック図である。図１３に示すように、携帯端末装置４０は、第２表示部４１及び姿勢検知部４２と共に制御部４３を有しており、制御部４３は、フィルタ挿入制御部２５に加えて表示位置切替制御部４４を有している。その他の構成及び作用は、携帯端末装置１０（図２参照）と同様である。
【００３８】
制御部４３の表示位置切替制御部４４は、筐体の開放角度αと姿勢に基づいて、カメラ１７で取り込んだ画像の表示位置を、第１表示部１４と第２表示部４１の何れかに切り替える。
図１４は、図１２の携帯端末装置において太陽電池の向きを調整する処理の手順を示すフローチャートである。図１４に示すように、先ず、ユーザが、携帯端末装置４０を開いて表示部側筐体１１を開放した状態にする（ステップＳ４０１）。
次に、開放側を下にして自立しているか否かを判断し（ステップＳ４０２）、判断の結果、自立していない（ｎｏ）場合、通常の開放操作と見なして、第１表示部１４のみを点灯する。このとき、第２表示部４１は消灯している（ステップＳ４０３）。第１表示部１４を点灯した後、処理を終了し、その後のユーザ操作に従う。
【００３９】
一方、判断の結果、自立している（ｙｅｓ）場合、充電状態と判断して、第２表示部４１のみを点灯する。このとき、第１表示部１４は消灯している（ステップＳ４０４）。つまり、筐体が開放され、表示部側筐体１１とキー側筐体１２が一定の開放角度αで保持された状態で、携帯端末装置４０が、筐体開放側端部を下（ヒンジ１３を上）にした、自立状態にあることを、姿勢検知部４２が検知すると、制御部４３は、太陽電池１６を充電する状態にあると判断する。
【００４０】
携帯端末装置４０の自立状態が検知され第２表示部４１が点灯すると、同時に、太陽を含む画像を取り込んで第２表示部４１に表示できるように、ＮＤフィルタを挿入し（ステップＳ４０５）、その後、カメラ１７が起動する（ステップＳ４０６）。
次に、ユーザは、第２表示部４１を見ながら、取り込んだ太陽像が第２表示部４１の中央部に位置するように、回転角度θと開放角度αを調整する（ステップＳ４０７）。位置を調整した後、表示ＯＦＦ機能を割り当てた調整完了キーを押下して、第２表示部４１を消灯する（ステップＳ４０８）。その後、処理を終了する。
【００４１】
上述したように、太陽電池１６を充電する際に、カメラ１７で取り込んだ太陽の画像をより見易くすることを目的として、太陽電池１６を搭載する位置と太陽の画像を表示する位置の組み合わせパターンを種々説明したが、組み合わせパターンについて、次のようにまとめることができる。
図１５は、太陽電池搭載位置と太陽画像表示位置の組み合わせパターンを表にして示す説明図である。図１５に示すように、太陽電池１６を搭載する位置が、第１筐体（表示部側筐体１１）の背面側である場合、太陽の画像を表示する位置、即ち、表示部は、第１筐体の内面側、第２筐体（キー側筐体１２）の内面側、或いは第２筐体の背面側となる。
【００４２】
つまり、表示部が、
第１筐体の内面側の場合（ａ）、通常の折り畳み携帯端末装置で、第２筐体を下にした自立状態、
第２筐体の内面側及び第１筐体の内面側の場合（ｂ）、タッチパネルを搭載した２画面の折り畳み携帯端末装置で、第２筐体を下にした自立状態、
第２筐体の背面側の場合（ｃ）、第２筐体背面にサブ画面を搭載した折り畳み携帯端末装置で、第１，２筐体を利用した自立状態（この場合、内面側の画面数は問わず）、
となる。
【００４３】
また、太陽電池１６を搭載する位置が、第２筐体（表示部側筐体１１）の背面側である場合、太陽の画像を表示する位置、即ち、表示部は、第１筐体の内面側、第２筐体の内面側、或いは第１筐体の背面側となる。
つまり、表示部が、
第１筐体の内面側及び第２筐体の内面側の場合（ｄ）、タッチパネルを搭載した２画面の折り畳み携帯端末装置で、第１筐体を下にした自立状態、
第１筐体の内面側の場合（ｅ）、通常の折り畳み携帯端末装置で、第１筐体を下にした自立状態、
第１筐体の背面側の場合（ｆ）、第１筐体背面にサブ画面を搭載した折り畳み携帯端末装置で、第１，２筐体を利用した自立状態（この場合、内面側の画面数は問わず）、
となる。
【００４４】
このように、この発明に係る携帯端末装置により、太陽光によって太陽電池１６を充電する際に、ユーザは、発電効率の良い状態を確認することができるので、携帯端末装置１０の傾きや位置等を調整して最も効率の良い充電状態にすることができる。
この結果、ＧＰＳ機能による現在の位置情報入手や太陽の方位を計算により割り出す必要がなく、容易に、最も発電効率が良くなるように太陽電池（携帯端末装置）の向きを調整することができる。
【００４５】
また、ユーザが目視や感覚で太陽電池（携帯端末装置）の向きを合わせる場合は、現在の向きが太陽電池の発電に最適であるかの判断ができないが、仮に、携帯端末装置に発電量の表示機能等があれば、実際の発電量を見ながら向きを調整することは可能である。しかし、緯度／経度の二方向を調整することは時間もかかり面倒である。これに対し、本発明によれば、ユーザは明確に最適な向きを判断できるため安心であり、且つ、短時間で調整が可能である。
なお、本発明は、上述した実施の形態により説明したが、この実施の形態に限定されるものではない。従って、本発明の趣旨を逸脱することなく変更態様として実施するものも含むものである。
【図面の簡単な説明】
【００４６】
【図１】本発明の第１実施の形態に係る端末装置の充電状態を示し、（ａ）は表示画面側から見た斜視図、（ｂ）は太陽電池側から見た斜視図である。
【図２】図１の携帯端末装置の構成を示すブロック図である。
【図３】太陽電池の向きを調整する際の筐体における回転角度と開放角度の説明図である。
【図４】図１の携帯端末装置において太陽電池の向きを調整する処理の手順を示すフローチャートである。
【図５】図１の携帯端末装置により撮影した太陽の画像を画面表示したイメージを示し、（ａ）はＮＤフィルタを挿入した場合の説明図、（ｂ）は低輝度で表示した場合の説明図、（ｃ）は二値化処理して表示した場合の説明図である。
【図６】太陽電池の太陽に対する角度ずれと発電量の関係をグラフで示す説明図である。
【図７】本発明の第２実施の形態に係る携帯端末装置の充電状態を示し、（ａ）は表示画面側から見た斜視図、（ｂ）は太陽電池側から見た斜視図である。
【図８】図７の携帯端末装置の構成を示すブロック図である。
【図９】図７の携帯端末装置において太陽電池の向きを調整する処理の手順を示すフローチャートである。
【図１０】本発明の第３実施の形態に係る携帯端末装置の充電状態を示し、（ａ）は表示画面側から見た斜視図、（ｂ）は太陽電池側から見た斜視図である。
【図１１】図１０の携帯端末装置において太陽電池の向きを調整する処理の手順を示すフローチャートである。
【図１２】本発明の第４実施の形態に係る携帯端末装置の充電状態を示し、（ａ）は表示画面の背面側から見た斜視図、（ｂ）は太陽電池側から見た斜視図である。
【図１３】図１２の携帯端末装置の構成を示すブロック図である。
【図１４】図１２の携帯端末装置において太陽電池の向きを調整する処理の手順を示すフローチャートである。
【図１５】太陽電池搭載位置と太陽画像表示位置の組み合わせパターンを表にして示す説明図である。
【符号の説明】
【００４７】
１０，３０，３５，４０  携帯端末装置
１１  表示部側筐体
１２  キー側筐体
１３  ヒンジ部
１４  表示部
１５  キー操作部
１６  太陽電池
１７  カメラ
１８  アンテナ部
１９  無線部
２０  メモリ部
２１，３３，４３  制御部
２２  開放角度検知部
２３  入力操作部
２４  フィルタ部
２５  フィルタ挿入制御部
３１  第２筐体
３２，４１  第２表示部
３４，４４  表示位置切替制御部
４２  姿勢検知部
【図１】
2008085777.tif 000003
【図２】
2008085777.tif 000004
【図３】
2008085777.tif 000005
【図４】
2008085777.tif 000006
【図５】
2008085777.tif 000007
【図６】
2008085777.tif 000008
【図７】
2008085777.tif 000009
【図８】
2008085777.tif 000010
【図９】
2008085777.tif 000011
【図１０】
2008085777.tif 000012
【図１１】
2008085777.tif 000013
【図１２】
2008085777.tif 000014
【図１３】
2008085777.tif 000015
【図１４】
2008085777.tif 000016
【図１５】
2008085777.tif 000017